(57)【要約】【課題】１回のアクセスで数種の広告情報を同時に得ることができる広告システムを得る。【解決手段】インターネット１を介してアクセス可能な情報変換サーバー５と、情報変換サーバー５から情報を受信する複数の中継送信装置２０と、各中継送信装置２０から受信するとともに赤外線信号を送受信可能とする複数の赤外線送受信装置１１と、赤外線送受信装置１１との間で送受信可能な赤外線通信ポート３１を有する複数の携帯電話３０とを具備し、前記赤外線送受信装置１１から前記携帯電話３０へ広告情報を発信する広告システムであって、前記情報変換サーバー５は、送信された広告情報メールを携帯電話用のデータ形式に変換して広告配信メールを得るデータ形式変換部７と、指定された複数の中継送信装置に前記広告配信メールを分配する分配送信部８とを有し、前記赤外線送受信装置１１は、前記広告配信メールを赤外線信号に変換する赤外線信号変換手段を有する。【選択図】    図１
2006146006.tif 000002
【特許請求の範囲】
【請求項１】
インターネットを介してアクセス可能な情報変換サーバーと、前記情報変換サーバーから情報を受信する複数の中継送信装置と、前記各中継送信装置から受信するとともに赤外線信号を送受信可能とする複数の赤外線送受信装置と、前記赤外線送受信装置との間で送受信可能な赤外線通信ポートを有する複数の携帯電話とを具備し、前記赤外線送受信装置から前記携帯電話へ広告情報を発信する広告システムであって、
前記情報変換サーバーは、インターネットを介して送信された広告情報メールを携帯電話用のデータ形式に変換して広告配信メールを得るデータ形式変換手段と、指定された複数の中継送信装置に前記広告配信メールを分配する分配手段とを有し、
前記赤外線送受信装置は、前記広告配信メールを赤外線信号に変換する赤外線信号変換手段を有し、
前記各携帯電話が前記赤外線送受信装置からの赤外線信号により前記広告配信メールを受信することを特徴とする広告システム。
【請求項２】
インターネットを経由した広告情報を含むメールを受信可能とするとともに赤外線信号を送受信可能とする赤外線送受信装置であって、
前記赤外線送受信装置は、
受信された携帯電話用のデータ形式のメールを赤外線信号に変換する赤外線信号変換手段と、
前記赤外線信号を広告配信メールとして書換可能に記録する記録手段と、
赤外線通信ポートを有する携帯電話から発信された受信許諾信号を受信する受信手段と、
前記受諾信号を受けて前記広告情報を発信する送信手段と
を具備することを特徴とする広告表示装置。
【発明の詳細な説明】
【技術分野】
【０００１】
本発明は、例えば駅のコンコースやイベント会場等に設置され、広告媒体に関連する広告情報を容易に配信可能とした広告システム、及び、この広告システムに使用される広告表示装置に関する。
【背景技術】
【０００２】
従来、地下道等の壁面や電車やバス等の車両内に装着される広告媒体は、視覚を通じて広告効果を発揮させるものである。一般的な広告媒体には、例えば商品の写真、商品のキャッチコピー及び商品説明とともに、商品の製造・販売会社のホームページアドレスを表示し、このホームページアドレスにアクセスすることで更に商品についての詳細な情報が得られる旨の表示が行われていた。
【０００３】
また近年、広告媒体の隅に広告情報シート（信号発信装置）を設け、この信号発信装置から広告媒体の広告表示に関連する情報（例えば、ホームページアドレス等）を電子情報として携帯端末側に発信する広告表示システムが提案されている。
このシステムによれば、ホームページアドレス等の広告表示に関連する情報を簡単に携帯端末側で得られることができる（例えば、特許文献１参照）。
【特許文献１】特開２００２−０２５８７８８号公報
【発明の開示】
【発明が解決しようとする課題】
【０００４】
しかしながら上記のような広告システムでは、信号発信装置と携帯端末との間の信号の送受信は、ホームページアドレス情報を含んだ赤外線信号で行われているが、赤外線信号の性質上、１回のアクセス（信号受信）で一つの情報（例えばホームページアドレス）しか得ることができないという問題点があった。そのため、大量の情報を携帯電話側に一度に受信することができなかった。
【０００５】
本発明は上記実情に鑑みてなされたもので、携帯電話からの１回のアクセスで数種の広告情報を同時に得ることができる広告システム及びこの広告システムに使用される広告表示装置を提供することを目的とする。
【課題を解決するための手段】
【０００６】
上記目的を達成するため請求項１の広告システムは、インターネット１を介してアクセス可能な情報変換サーバー５と、前記情報変換サーバー５から情報を受信する複数の中継送信装置２０と、前記各中継送信装置２０から受信するとともに赤外線信号を送受信可能とする複数の赤外線送受信装置１１と、前記赤外線送受信装置１１との間で送受信可能な赤外線通信ポート３１を有する複数の携帯電話３０とを具備し、前記赤外線送受信装置１１から前記携帯電話３０へ広告情報を発信する広告システムであって、次の構成を含むことを特徴としている。
前記情報変換サーバー５は、インターネット１を介して送信された広告情報メールを携帯電話用のデータ形式に変換して広告配信メールを得るデータ形式変換手段（データ形式変換部７）と、指定された複数の中継送信装置に前記広告配信メールを分配する分配手段（分配送信部８）とを有している。
前記赤外線送受信装置１１は、前記広告配信メールを赤外線信号に変換する赤外線信号変換手段を有している。
そして、前記各携帯電話３０が前記赤外線送受信装置１１からの赤外線信号により前記広告配信メールを受信するようになっている。
【０００７】
請求項２の広告表示装置は、インターネット１を経由した広告情報を含むメール（携帯電話用のデータ形式に変換された広告配信メール）を受信部１５で受信するとともに赤外線信号を送受信可能とする赤外線送受信装置１１であって、次の構成を含むことを特徴としている。
赤外線信号変換手段（赤外線信号変換部１６）。この赤外線信号変換手段（赤外線信号変換部１６）は、受信された携帯電話用のデータ形式のメールを赤外線信号に変換するものである。
記録手段（記録部１２）。この記録手段（記録部１２）は、前記赤外線信号を広告配信メールとして書換可能に記録するものである。
受信手段（受光部１４）。この受信手段（受光部１４）は、赤外線通信ポート３１を有する携帯電話３０から発信された受信許諾信号を受信するものである。
送信手段（発光部１３）。この送信手段（発光部１３）は、前記受諾信号を受けて前記広告情報を発信するものである。
【発明の効果】
【０００８】
本発明によれば、携帯電話３０は赤外線信号に変換された広告配信メールを受信するので、１回の受信で多くの広告情報を受信することが可能となる。
また、情報変換サーバー５では、広告情報メールを携帯電話用のデータ形式に変換して広告配信メールを得て、これを指定された複数の中継送信装置２０に送信するので、所望の広告を各赤外線送受信装置１１へ容易に転送させることができ、効率良く広告を行うことができる。
【発明の実施するための最良の形態】
【０００９】
本発明の実施の形態の一例としての広告システムについて、図面を参照しながら説明する。
この広告システムは、図１乃至図３に示されるように、インターネット１を介してアクセス可能な情報変換サーバー５と、この情報変換サーバー５から情報を受信する複数の中継送信装置２０と、広告表示が行われるとともに前記各中継送信装置２０から情報を受信する赤外線送受信装置１１を内在した広告表示装置１０と、赤外線通信ポート３１を有する携帯電話３０とで構成され、広告表示装置１０の赤外線送受信装置１１と携帯電話３０との間で信号の送受信を行うようになっている。
【００１０】
情報変換サーバー５は、インターネット１を介して通常のパーソナルコンピュータ（パソコン）２からアクセス可能に構成されている。この情報変換サーバー５は、インターネット１を介してパソコン２から送信された広告情報メールを受信する受信部６と、この広告情報メールを予め記録されているプログラムにより携帯電話用のデータ形式に変換して広告配信メールを得るデータ形式変換部７と、指定された複数の中継送信装置２０に前記広告配信メールを分配する分配送信部８とを有している。
広告情報メールには、複数のホームページアドレスや画像等の広告情報が含まれるとともに、指定した複数の分配先の各中継送信装置２０の位置情報が添付されている。
分配送信部８では、予め記憶されているプログラムに基づいて、広告情報メールを変換した広告配信メール中の位置情報を検出して、インターネット１を介して各中継送信装置２０へ広告配信メールを送信する処理が自動的に行われる。
【００１１】
中継送信装置２０は、一定地域内に設置された複数の広告表示装置１０の赤外線送受信装置１１に無線若しくは有線で配信するためのもので、例えば建物（商業施設）毎に設置されている。
中継送信装置２０が情報変換サーバー５から広告配信メールを受信した場合には、各中継送信装置２０に属する複数の赤外線送受信装置１１に自動的に配信される。
【００１２】
広告表示装置１０は、例えば図４（ａ）に示すように、壁面に設置される方形平板のボード体と、ボード体の右側部エリア１０ａに装着された赤外線送受信装置１１を有して構成されている。ボード体は、その表面にポスター状の平面状広告媒体３が針状体で固定できるように、例えば針状体が刺さる部材で構成されることで、広告媒体３が着脱自在（張替可能）に装着できるようになっている。
広告媒体３の表面には、商品の写真、商品のキャッチコピー及び商品説明が掲載されている。
【００１３】
ボード体（広告表示装置１０）の右側部エリア１０ａに装着された赤外線送受信装置１１は、赤外線信号を送受信可能とするもので、図３に示すように、広告媒体３の広告表示に関連する広告情報を書換可能に記録する記録部１２と、赤外線通信ポート３１を有する携帯電話３０から発信された受諾信号を受信する受光部１４と、前記受諾信号を受けて前記広告情報を発信する発光部１３とを備えている。
また、赤外線送受信装置１１は、広告配信メールを受信する受信部１５と、この広告配信メールを赤外線信号に変換する赤外線信号変換部１６と、前記した記録部１２、発光部１３、受光部１４、受信部１５、赤外線信号変換部１６との間で情報を制御する制御部１７を有している。
【００１４】
すなわち、記録部１２は、中継送信装置２０から送信された最新の広告配信メールを受信部１５で受信し、赤外線信号変換部１６により広告配信メールを赤外線信号に変換し、広告表示に関連する広告情報を含んだ状態で最新情報に書き換えて記録するものである。
この記録部１２に記憶された情報（広告配信メール）は、携帯電話３０側からの赤外線信号を受光部１４で受信することで発光部１３により赤外線信号として出力される。これらの処理は、所定のプログラムに従って制御する制御部１７により制御される。
【００１５】
赤外線送受信装置１１は、図４（ｂ）に示されるように、ボード体の右側部エリア１０ａに埋め込まれて装着され、発光部１３及び受光部１４がボード体の外側から直接に臨むようになっている。
ボード体の右側部エリア１０ａには、携帯電話を使用して広告情報を得る場合の手順を説明する文章が掲載されている。
また、赤外線送信装置１１は内蔵された水銀電池等の電源（図示せず）により駆動するように構成されている。
【００１６】
記録部１２に赤外線信号情報に変換されて記録されている広告配信メールは、例えば、商品の製造・販売会社のホームページアドレス、広告に関する画像情報が記憶されている。
【００１７】
発光部１３は、携帯電話３０側へ赤外線信号としての広告配信メールを送信するものであり、広告媒体３を背にして赤外線が照射される円錐状範囲における頂角（指向角）が７０度以下、好ましくは１０〜３０度の範囲に赤外線信号が照射されるような指向性を有している。また、赤外線信号は例えば８５０〜９５０ｎｍの波長とし、３〜６ｍの範囲で受信できるような強度となっている。
【００１８】
前記した指向角は、広告媒体３の設置場所、受信可能な奥行、壁面に複数の広告表示システムが並列設置する場合等の事情を考慮して適宜値を設定すればよい。
指向角１０〜３０度の範囲に赤外線信号を照射するような指向性を持たせることにより、携帯電話２を持ったユーザーが広告表示装置１０に対峙する場所に立つことで、赤外線送信装置１１の発光部１３から照射される赤外線信号の照射範囲内に携帯電話３０を位置させることができる。
【００１９】
受光部１４は、携帯電話３０側から送信される赤外線信号としての受信許諾信号及び情報選択信号を受信するものであり、具体的には方形状の窓部として赤外線送信装置の前面に形成されている。
受信許諾信号には、携帯電話の機種を表示するための信号が含まれており、この信号をカウンター装置側で解析することにより、携帯電話の機種が特定できるようになっている。
【００２０】
制御部１５は、携帯電話３０側からの赤外線信号（受信許諾信号，情報選択信号）を受けて、読出メモリ１２から所望の広告情報を取り出し，赤外線信号として発光部１３から送信する作業を行うものである。
すなわち、携帯電話３０側からの受信許諾信号を受けた場合には、発光部１３から赤外線信号としての広告配信メールを携帯電話３０側へ送信し、携帯電話３０側では１回の受信で多くの情報量を含む広告配信メールを受信することができる。
【００２１】
携帯電話３０は、ディスプレイ部３２の上方側面位置に窓部としての赤外線通信ポート３１が設けられるとともに、赤外線送信装置１１への受信許諾信号を発して、該信号を受けた赤外線送信装置１１が携帯電話３０側へ送信した広告情報を記録する記録部を具備している。
また、携帯電話３０には、赤外線送信装置１１への受信許諾信号を送信するプログラム、及び、赤外線送信装置１１の発光部１３から送信される赤外線信号としての広告配信メールを受信してメール形式でディスプレイ部３２に表示するプログラムが内蔵され、携帯電話３０における所望のキー操作により赤外線信号での送信及び受信が可能となる赤外線モードに設定できるようになっている。
【００２２】
上述の例では、赤外線送信装置１１がボード体に埋め込まれて広告表示装置１０を構成するようにしたが、図４（ｂ）に示す赤外線送信装置１１単体を壁面などに貼り付けたり、広告ポスターに貼るようにしてもよい。
【００２３】
次に、上記広告表示システムにおける動作について、図５のフローチャート図を参照しながら説明ずる。
広告提供者（メール配信者）が、情報変換サーバー５のアドレスに１通のメール（広告情報メール）を送信する。広告情報メールには、広告記事や広告者のホームページアドレス、画像等を含まれている（ステップ１０１）。また、広告情報メールには、希望する複数の分配先の各中継装置２０の位置情報を含ませておく。
【００２４】
情報変換サーバー５では、受信部６で受信した広告情報メールをデータ形式変換部７において携帯電話用のデータ形式（携帯電話で読める形式）に変換して広告配信メールを作成するとともに、分配送信部８により広告情報メール中の位置情報を検出し、該当する各中継送信装置へ送信して分配する（ステップ１０２）。
【００２５】
中継送信装置で受信された広告配信メールは、有線・無線手段で各広告表示装置１０の赤外線送受信装置１１に送信されて転送される（ステップ１０３）。
【００２６】
広告の提供を受けたい者（ユーザー）が広告表示装置１０に対峙する位置に立ち、携帯電話３０において所望のキー操作を行い、赤外線信号の送受信が可能となる赤外線モードに設定する（ステップ１０４）。このキー操作は、ワンタッチで赤外線モードに設定できる専用の赤外線モード用押圧スイッチを設けてもよいし、携帯電話３０における既存の操作キー３３を複数押圧することで設定できるようにしてもよい。
【００２７】
この赤外線モード設定時に、携帯電話３０からは赤外線信号（受信許諾信号）が送信され（ステップ１０５）、広告表示装置１０に装着した赤外線送信装置１１の受光部１４がこの信号を受信する。
この信号を受けた赤外線送信装置１１は、発光部１３から赤外線信号としての広告配信メールを送信し（ステップ１０６）、携帯電話３０の赤外線通信ポート３１がこの信号を受信する。
【００２８】
携帯電話３０側では、広告配信メールの受信を受けてディスプレイ部３２に広告配信メールの文章を表示する（ステップ１０７）。文章中には、広告記事が表記されるとともに、広告者のホームページアドレスが記載されているので、このアドレスにアクセスすることで更に詳細な広告を閲覧することができる。
【００２９】
携帯電話３０側では、赤外線送信装置１１が携帯電話３０側へ送信した広告配信メール（ホームページアドレス、広告画像）を記録する記録部を有しているので、記録された広告情報をディスプレイ部３２に表示させたり、画像の場合は壁紙として使用することが可能となる。
【００３０】
上述した赤外線送信装置１１では、携帯電話３０からは赤外線信号（受信許諾信号）が送信された場合に広告配信メールを送信するようにしたが、赤外線送信装置１１の発光部１３から常時赤外線信号（広告配信メール）が照射されるようにし、携帯電話３０が受信許諾信号を送信した時点で携帯電話３０の記録部に広告情報が送信されるような構造であってもよい。
【００３１】
上記例では、赤外線通信ポート３１が設けられて赤外線信号の送信が可能な携帯電話を例に説明したが、赤外線通信ポートのない携帯電話でも赤外線送受信用アダプターを取り付けることにより、赤外線信号号の送受信が可能となる。
この赤外線送受信用アダプターは、携帯電話の外部接続端子に接続可能に構成されている。この赤外線送受信用アダプターは携帯電話に内蔵されているものより感度を良好にすることができる。すなわち、送受信の範囲について、携帯電話の赤外線送受信の距離１０〜２０ｃｍを大幅に上回る１０ｍ程度にすることができる。
【００３２】
上記構成の広告表示システムによれば、赤外線通信ポート２１を有する携帯電話２と赤外線送信装置１１との信号の送受信により、広告情報を携帯電話２の記録部で記録することができるので、広告表示装置１０の広告表示に関する電子的な広告情報（ホームページアドレス、画像情報等）を携帯電話３０側に容易に取り込むことができる。
【００３３】
情報変換サーバー５を使用して携帯電話で読み出せるメール形式とし、各赤外線送受信装置でメールを赤外線信号に変換しているので、携帯電話で広告を得ようとする者は１回の操作で多数のホームページアドレスが記載された広告情報をメール情報として得ることができる。
【００３４】
メール配信者についても、情報変換サーバ５への１回の配信操作で多数の赤外線送受信装置へ広告配信メールを送信することができ、効率的なサービスが可能となる。
また、送受信を行う信号を赤外線信号としているので、ペースメーカ等の電子機器に影響を与えることがなく、車内においても他人に迷惑をかけることなく操作を行うことができる。
【００３５】
上述の例では、壁面に設置されポスター状の広告媒体３を貼着可能なボード体を有する平面状の広告表示装置１０に赤外線送信装置（広告用赤外線送信装置）１１を装着した例について説明したが、例えば図４（ｃ）に示すように、ボード体をキャスター付き脚４に固定したものであってもよい。この場合、自在に移動できるので、イベント会場等での設置に適している。図中、図４（ａ）と同様の構成をとる部分については同一符合を付している。
【図面の簡単な説明】
【００３６】
【図１】本発明の広告システムの概要を示す模式図である。
【図２】広告システムにおける情報変換サーバーの構成を示すブロック図である。
【図３】広告システムにおける赤外線送受信装置及び携帯電話間での送受信状態を示すブロック図である。
【図４】（ａ）〜（ｃ）は本発明の広告表示装置を示すものであり、（ａ）は壁面設置タイプの広告表示装置の斜視説明図、（ｂ）は赤外線送受信装置の正面説明図、（ｃ）はスタンド型の広告表示装置の斜視説明図である。
【図５】広告システムにおける動作を説明するためのフォローチャート図である。
【符合の説明】
【００３７】
１  インターネット
２  パソコン
３  広告媒体
５  情報変換サーバー
６  受信部
７  データ形式変換部
８  分配送信部
１０  広告表示装置
１１  赤外線送受信装置
１２  記録部
１３  発光部
１４  受光部
１５  受信部
１６  赤外線信号変換部
１７  制御部
２０  中継送信装置
３０  携帯電話
３１  赤外線通信ポート
３２  ディスプレイ部
３３  操作キー
【図１】
2006146006.tif 000003
【図２】
2006146006.tif 000004
【図３】
2006146006.tif 000005
【図４】
2006146006.tif 000006
【図５】
2006146006.tif 000007